(57)【要約】      （修正有）【課題】管体部位への灌注流体の放出と、管体部位からの材料の引込みを同時に行うことができ、部位から引き出される材料の詰まりを最小限に抑えることができる洗浄ユニットを提供する。【解決手段】灌注チューブ７３０および吸引チューブ７５０を有するチップアセンブリを備える医療／外科用洗浄ユニットであって、灌注チューブは、吸引チューブ内に配置され、吸引チューブから軸ずれしていて、吸引チューブが、比較的広い断面長さを有する管腔７３６を有した構成とする。【選択図】図２９
2019051339.tif 000002
【特許請求の範囲】
【請求項１】
洗浄ユニットであって、
遠位端を有するハンドピースと、
前記ハンドピースの前記遠位端に隣接して配置される灌注取付具であって、灌注流体が放出される孔を有する灌注取付具と、
前記ハンドピースの前記遠位端に隣接して配置される吸引取付具であって、吸引物が引き込まれるときに通る孔を有する吸引取付具と、
前記灌注流体の源から前記灌注取付具の孔に延在する灌注チューブと、
前記吸引取付具の孔から吸引源に向かって延在する吸引チューブと、
吸引管腔およびチップアセンブリ灌注チューブを有するチップアセンブリ吸引チューブを備えるチップアセンブリであって、前記チップアセンブリ吸引チューブは、前記孔を介して前記吸引チューブに接続し、前記チップアセンブリ灌注チューブは、前記灌注取付具に係合して前記灌注取付具から放出される流体を受け入れるように寸法決めされた近位端を有している、チップアセンブリと、
を備え、
前記チップアセンブリは空洞を更に備え、前記空洞は、前記チップアセンブリ吸引チューブと前記孔との間に流体連通をもたらすように、前記チップアセンブリ吸引チューブと前記孔との間に配置され、
遠位端を有する１つまたは複数の離間したリブは、前記吸引取付具の前記孔の前方に位置し、前記吸引取付具の前記孔と前記チップアセンブリ吸引チューブの壁との間の空洞へ延在するように構成される、洗浄ユニット。
【請求項２】
前記リブは、前記吸引取付具から遠位側に延在し、１つまたは複数のリブのそれぞれは、前記吸引取付具の前記孔から前記チップアセンブリ吸引チューブの前記壁に向かって遠位側にテーパが付されている、請求項１に記載の洗浄ユニット。
【請求項３】
前記灌注取付具は前記吸引取付具の遠位側前方に延在し、前記リブは前記灌注取付具から外方に延在している、請求項１または２に記載の洗浄ユニット。
【請求項４】
前記リブは、前記チップアセンブリを前記ハンドピースに接続するコネクタの部分から前方に延在している、請求項１〜３のいずれか１つに記載の洗浄ユニット。
【請求項５】
前記リブは、前記チップアセンブリ吸引チューブの近位端に位置している、請求項１〜４のいずれか１つに記載の洗浄ユニット。
【請求項６】
前記チップアセンブリは、前記チップアセンブリ灌注チューブは前記チップアセンブリ吸引チューブ内に配置されるようにさらに形成されている、請求項１〜５のいずれか１つに記載の洗浄ユニット。
【請求項７】
前記チップアセンブリ灌注チューブは、前記チップアセンブリ吸引チューブの長軸から横方向に離間した長軸を中心として位置するように、前記チップアセンブリ吸引チューブ内に配置されている、請求項６に記載の洗浄ユニット。
【請求項８】
前記チップアセンブリは、前記チップアセンブリ吸引チューブおよび前記チップアセンブリ灌注チューブの各々が遠位端を有するように形成されており、
噴霧シールドが、前記チップアセンブリから前方に延在しており、前記噴霧シールドは、前記チップアセンブリ吸引チューブおよび前記チップアセンブリ灌注チューブの前記遠位端の前方に位置する空洞を画定するヘッドを有している、請求項１〜７のいずれか１つに記載の洗浄ユニット。
【請求項９】
前記噴霧シールドは、前記チップアセンブリに取外し可能に取り付けられるようになっている、請求項８に記載の洗浄ユニット。
【請求項１０】
ポンプは、前記灌注流体を前記灌注チューブから前記チップアセンブリ灌注チューブ内に圧送および前記チップアセンブリ灌注チューブの外へ圧送するための前記ハンドピース内に配置されている、請求項１〜９のいずれか１つに記載の洗浄ユニット。
【請求項１１】
前記ポンプは、パルス状灌注流体を送達するように構成される、請求項１０に記載の洗浄ユニット。
【請求項１２】
前記ポンプの作動を調整するための制御アセンブリは、前記ハンドピースに取り付けられ、前記制御アセンブリは、前記ハンドピースに移動可能に取り付けられて前記ポンプの作動を制御するために手動で操作されるトリガーを備えている、請求項１０または１１に記載の洗浄ユニット。
【請求項１３】
前記制御アセンブリおよび前記トリガーは、前記トリガーが、
前記制御アセンブリがポンプをオフ状態に保持する第１の位置と、
前記制御アセンブリが前記ポンプをオン状態に移行させる第２の位置であって、手動力が前記トリガーに加えられたとき、前記トリガーが前記第１の位置から前記第２のオン位置に移行し、かつ前記手動力が取り除かれたとき、前記第１の位置に戻る、第２の位置と、
前記制御アセンブリが前記ポンプを作動させる第３の位置であって、いったん前記トリガーが前記第３の位置に移動したなら、前記トリガーを前記第１の位置または前記第２の位置の少なくとも１つに移動させるように離脱力が前記トリガーに加えられるまで、前記トリガーが前記第３の位置にとどまる第３の位置と、
を有するように、協働して構成されていることを特徴とする、請求項１２に記載の洗浄ユニット。
【請求項１４】
前記ポンプを駆動するためのモータが、前記ハンドピース内に配置されている、請求項１０〜１３のいずれか１つに記載の洗浄ユニット。
【請求項１５】
前記ハンドピースまたは前記チップアセンブリの少なくとも１つは、前記ハンドピースへの前記チップアセンブリの取外し可能な取付けを容易にする特徴部を備えている、請求項１〜１４のいずれか１つに記載の洗浄ユニット。
【発明の詳細な説明】
【技術分野】
【０００１】
本発明は、一般的に、体部位への灌注流体の放出と該部位からの材料の引込みを同時に
行う洗浄ユニットに関する。さらに詳細には、本発明の洗浄ユニットは、部位から引き出
される材料の詰まりを最小限に抑える特徴を有している。
【背景技術】
【０００２】
多くの外科および医療手術手順において、治療を受ける患者の体の体上または体内の特
定位置に流体を送達するために、洗浄ユニットが用いられている。例えば、整形外科手術
中、骨を清浄にするために水または生理食塩液の加圧パルスを該骨の露出面に送達するた
めに、洗浄ユニットが用いられることがある。また、水のパルスを患者の皮膚の特定部位
に供給することが同じように望まれるいくつかの非外科手術手順が行なわれることもある
。すなわち、もし患者がある種の床ずれまたは他の種類の皮膚傷を患っているなら、該傷
に衣服を着せる前に該傷を清浄にするために洗浄ユニットを用いることは、一般的に行な
われている。
【０００３】
一般的な形式の医療／外科用洗浄ユニットは、チップアセンブリが選択的に取り付けら
れたハンドピースを備えている。多くの場合、ハンドピースの内側には、一定量の加圧流
体を周期的に送達する小型ポンプが配置されている。代替的に、加圧流体は、外部ポンプ
からハンドピースに送達されることもある。流体は、チップアセンブリと一体の放出チュ
ーブを通って、患者の体上または体外の選択された部位に放出される。これらの洗浄ユニ
ットは、２つの理由から加圧パルスの流体を送達するようになっている。１つの理由は、
流体パルスが対象となる部位に迅速に衝突し、かつ該部位から迅速に離れることにあり、
この作用は、該部位からの破片の望ましい除去を促進するのに役立つことになる。第２の
理由は、不連続な流体パルスは、加圧流体の連続的な流れに晒されるときに視野が遮られ
る場合と比較して、それほど部位の視野を遮らないことにある。
【０００４】
殆どの洗浄ユニットは、無菌流体が放出されるときに通る導管に加えて、放出された流
体が対象となる部位から取り出されるときに通る導管を有している。典型的には、この流
体は、最初、チップアセンブリの一部でもある吸引チューブを通して部位から引き出され
る。次いで、流体および該流体流れ内の破片は、ハンドピースと一体の導管を通って流れ
る。ハンドピース吸引導管は、灌注器とは別の吸引システムに接続された第２の吸引チュ
ーブに接続されている。従って、患者の体上の部位の清浄化と清浄化プロセスによって生
じた破片の除去を本質的に同時に行う能力を考慮すれば、なぜ灌注器が多くの医療および
外科手術手順を容易にするための有用なツールになってきたかは、容易に分かるだろう。
【０００５】
さらに、洗浄ユニットのハンドピースとチップアセンブリの両方を使い捨て式物品とし
て製造することが一般的に行なわれている。これらのユニットが使い捨て式である１つの
理由は、経済性にある。これらの装置を殺菌可能な構成要素から形成し、次いで、使用す
るたびにその後該装置を殺菌するためのコストは、使い捨て式装置を提供するコストより
も高くなる可能性がある。これらのユニットが使い捨て式物品である第２の理由は、重量
に関連している。殺菌可能となるように製造されたハンドピースを形成する構成部品の重
量は、使い捨て式ハンドピースを形成する同等の構成要素の重量よりも大きい。骨清浄化
のような手術手順中、洗浄ユニットを数分に至る時間にわたって安定して保持することが
必要な場合がある。洗浄ユニットを可能な限り軽量にすることによって、該ユニットを長
期にわたって安定して保持するのに必要な従事者の筋肉疲労を軽減させることができる。
【０００６】
特許文献１，２は、いずれも使い捨て式洗浄ユニットを開示している。これらの文献は
、参照することによって、明示的にここに含まれるものとする。これらの文献および他の
出願において、洗浄ユニット（lavage unit）は、「灌注器（irrigator）」と呼ばれてい
ることもある。
【０００７】
参照によってここに含まれる前述の文献の洗浄ユニットは、完全ではないが、満足の行
く程度に機能するものである。しかし、これらの洗浄ユニットならびに他の洗浄ユニット
では、場合によっては、チップアセンブリと一体の吸引チューブが、破片によって詰まる
ことがある。これは、詰まりを取り除くかまたは代わりのチップアセンブリを取り付ける
ために、ユニットの使用が中断されねばならないことを意味している。これらの手術手順
のいずれかを行うために時間を費やすることは、最新の医療手順の目的に反する。すなわ
ち、患者が麻酔下にある時間または患者の体内組織が周囲環境に晒される時間を最小限に
抑えるために、手術手順は、可能な限り迅速に行なわれるべきである。
【０００８】
さらに、他の製品と同様、製品のコストを最小限に維持することも常に望まれている。
洗浄器ハンドピース設計に及ぼす１つの区域は、トリガーである。トリガーは、施術者が
ポンプモータを選択的に作動させるために押し込む手動部材である。場合によっては、施
術者は、ポンプによる洗浄流体の放出のオン／オフ操作を迅速に制御することを望むこと
がある。この種の制御が必要なとき、トリガーは、瞬間的接触スイッチとして機能する必
要がある。場合によっては、施術者は、ポンプが、長期にわたって、例えば、３０秒以上
にわたってオン状態で維持されることを望むことがある。もしトリガーが、瞬間的接触式
であるなら、施術者は、トリガーを確実にオン状態に維持するために精神的および物理的
な努力を果たさねばならない。従って、この場合、トリガーは、選択的にトグル留めによ
ってオン・オフ作動するスイッチとして機能すべきである。これが、オン・オフ状態間で
トグル留めされるトグルスイッチを有する洗浄ユニットを提供することが有用な理由であ
る。しかし、場合によっては、同じ手術手順において、施術者は、トリガーが手術手順の
１つの過程では瞬間的接触スイッチとして機能し、該手術手順の他の過程では、トグルス
イッチとして機能することを望むことがある。これまで、接触スイッチおよびトグルスイ
ッチの両方として機能することができるトリガーを有する使い捨て式洗浄器ハンドピース
を提供することは、困難であると見なされていた。
【先行技術文献】
【特許文献】
【０００９】
【特許文献１】米国特許第６，０２２，３２９号明細書
【特許文献２】米国特許第７，１５３，２８７号明細書
【発明の概要】
【００１０】
本発明は、新規の有用な洗浄ユニットに向けられている。本発明の洗浄ユニットは、ポ
ンプを有するハンドピースと該ハンドピースから遠位側前方に延在するチップアセンブリ
との両方を備えている。
【００１１】
本発明のハンドピースおよびチップアセンブリは、いずれも患者からの吸引流れ内に捕
捉された破片が吸引流路を詰まらせる可能性を低減するように、形成されている。具体的
には、チップアセンブリは、吸引チューブ内に配置された灌注チューブを備えている。こ
れらの２つのチューブおよびそれらの相補的な管腔は、同軸ではない。本発明のこの特徴
によって、吸引管腔の軸の断面距離が大きくなる。ハンドピース内において、吸引経路は
、１対の孔を備えている。これらの孔は、軸ずれしている。さらに、これらの孔は、円形
ではない。これらの孔の重なりは、比較的広い貫通流路をもたらすようになっている。本
発明のこの特徴によって、詰まりの可能性が低減されると共にポンプの低コスト製造が達
成されることになる。
【００１２】
本発明のハンドピースは、多位置トリガーを備えている。トリガーは、通常、オフ状態
にある。トリガーは、初期距離にわたって移動することができる。トリガーが初期距離に
わたって移動すると、トリガーは、瞬間的接触スイッチとして機能する。トリガーの解放
によって、トリガーは、瞬時にオフ状態に戻る。また、トリガーは、第１の距離よりも大
きい第２の距離にわたって移動することができる。トリガーが第２の距離にわたって移動
すると、トリガーは、相補的なストッパーに係合する。この場合、トリガーは、静止した
オン状態位置にとどまることになる。ハンドピースポンプは、追加的な努力によってトリ
ガーを移動させるまで、オン状態にとどまっている。第３の位置へのトリガーの移動によ
って、トリガーは、オフ状態に戻る。従って、本発明のトリガーは、瞬間的な接触スイッ
チと、一定のオン状態または一定のオフ状態に設定可能なトグルスイッチの両方として機
能する。
【００１３】
本発明の全ての態様ではないが、いくつかの態様において、第２の位置へのトリガーの
移動によって、トリガーは、ストッパーに係合し、該ストッパーによって適所に保持され
るようになっている。本発明のいくつかの態様におけるストッパーは、ハンドピースのハ
ウジングを形成するシェル部材の１つに形成された特徴部である。
【００１４】
本発明は、請求項において詳細に指摘されている。本発明の上記の特徴およびさらなる
特徴ならびに利点は、添付の図面と併せて以下の詳細な説明を読むことによって理解され
るだろう。
【図面の簡単な説明】
【００１５】
【図１】本発明の洗浄ユニットの斜視図である。
【図２】洗浄ユニットの分解斜視図である。
【図３】洗浄ユニットのハンドピースの内部を示す切断図である。
【図４】ハンドピース内の構成部品の分解図である。
【図５】ハンドピースの右側シェルの内部の斜視図である。
【図６】右側シェルの内部の平面図である。
【図６Ａ】速度制御スイッチが着座する箇所を示すシェルを形成するハンドピースハウジングの部分の拡大図である。
【図６Ｂ】図６に示されているトリガーアセンブリブラケットの平面図である。
【図７】ハンドピースの左側シェルの平面図である。
【図８】左側シェルの斜視図である。
【図９】ハンドピース内のフェースギアの斜視図である。
【図１０】ハンドピース内の偏心ギアの斜視図である。
【図１１】ハンドピース内のポンプハウジングの斜視図である。
【図１２】図１１の線１２−１２に沿って切断されたポンプハウジングの底部の断面図である。
【図１３】図１１の線１３−１３に沿って切断されたポンプハウジングのネックの断面図である。
【図１４】図１１の線１４−１４に沿って切断されたポンプハウジングのヘッドの断面図である。
【図１５】ハンドピース内のベローズおよび弁の斜視図である。
【図１６】ハンドピース内の弁およびベローズの断面図である。
【図１７】ハンドピース内のポンプヨークの斜視図である。
【図１８】ハンドピース内の導電性構成要素を示す図である。
【図１８Ａ】電源へのハンドピースの電気接続の略線図である。
【図１８Ｂ】ハンドピースのオン／オフトリガーに関連する接点の斜視図である。
【図１９】ハンドピースの速度制御スイッチの露出部の斜視図である。
【図２０】速度制御スイッチの引っ込んだ特徴部の斜視図である。
【図２１】トリガーの前方斜視図である。
【図２２】トリガーの後方斜視図である。
【図２３】本発明のチップアセンブリを形成する構成部品の分解斜視図である。
【図２４】チップアセンブリのコネクタの前部の斜視図である。
【図２５】コネクタの後部の斜視図である。
【図２６】コネクタの断面図である。
【図２７】チップアセンブリの本体の斜視図である。
【図２８】チップアセンブリの本体を長手方向に貫通する面に沿って切断した該本体の断面図である。
【図２９】図２８の線２９−２９に沿って切断されたチップアセンブリの本体の断面図である。
【図３０】噴霧シールドの前部の斜視図である。
【図３１】噴霧シールドの後部の斜視図である。
【図３２】噴霧シールドを長手方向に貫通する面に沿って切断した噴霧シールドの断面図である。
【図３３】代替的トリガーを有する本発明の代替的右側シェルの平面図である。
【図３４】図３３の代替的トリガーの斜視図である。
【発明を実施するための形態】
【００１６】
［Ｉ．概観］
図１〜図３は、本発明の洗浄ユニット５０の基本的な構成要素を示している。洗浄ユニ
ット５０は、チップアセンブリ６５０が取外し可能に取り付けられたハンドピース６４を
備えている。灌注チューブ５６が、灌注流体源５４からハンドピース６４に延びている。
吸引チューブ６６が、ハンドピース６４に取り付けられている。吸引チューブ６６は、廃
棄物収集容器６３および吸引源６１の両方に向かって近位側に延在している。（本明細書
において、「近位側」は、チップアセンブリ６５０が適用される患者から施術者が保持す
るハンドピース６４に向かう側を意味している。「遠位側」は、施術者から患者に向かう
側を意味している。）ハンドピース６４内には、ポンプ４２０が配置されており、灌注チ
ューブ５６の遠位端がポンプ４２０に接続されている。ポンプ４２０は、モータ３６０に
よって駆動される。モータ３６０のオン／オフ状態は、ハンドピース６４の下面に枢動可
能に取り付けられたトリガー５６１によって制御される。モータ３６０の作動速度、従っ
て、ポンプ４２０の作動流量は、速度設定スイッチ５６２によって制御される。スイッチ
５６２は、ハンドピース６４の近位端に摺動可能に取り付けられている。
【００１７】
図２８に示されているように、チップアセンブリ６５０は、剛性の高い灌注チューブ７
５０を備えている。灌注チューブ７５０は、吸引チューブ７３０内に配置されている。噴
霧シールド７７０が、吸引チューブ７３０に取外し可能に配置されている。チップアセン
ブリ６５０がハンドピース６４に取り付けられたとき、第１の流体連通路が、ポンプ４２
０の出口ポートと灌注チューブ７５０との間にもたらされる。また、第２の流体連通路が
、吸引チューブ７３０の近位端と、ハンドピース６４に取り付けられてそこから延在する
吸引チューブ６６との間にもたらされる。
【００１８】
［ＩＩ．ハンドピース］
ハンドピース６４は、図４および図５にそれぞれ示されているように、右側シェル７０
および左側シェル２１０を備えている。シェル７０，２１０は、一緒になって、ハンドピ
ース６４のハウジングまたは本体を形成している。シェル７０，２１０は、非線形近位−
遠位方向長軸を有する近位区域および遠位区域を有している。具体的には、これらのシェ
ルの近位区域は、一緒になって、ハンドピース６４のハンドグリップ６５を形成している
。これらのシェルの遠位区域は、一緒になって、ハンドピース６４のバレル６７を形成し
ている。シェル７０，２１０は、ＡＢＳのようなプラスチックから形成されている。
【００１９】
図５および図６に示されているように、右側シェル７０は、基部６９を有するように形
成されている。矩形状ノッチ７２が、シェル７０の最近位リム７１に設けられている。２
つのブラケット７４，７８が、ノッチ７２によって画定されたシェル７０内の空間内に部
分的に延在するように、シェル基部から上方に延在している。図６Ａに示されているよう
に、ブラケット７４は、シェル最近位リム７１から遠位側内方に延在する小さい部分を有
するという点において、Ｌ字状に形作られている。ブラケット７４，７８は、略平面状で
ある。互いに隣接するブラケット７４，７８の端において、ブラケット７４，７８には、
それぞれ、段７５，７９が形成されている。段７４，７８は、それぞれ、ブラケット７４
，７８の遠位側前方に位置し、そこから延在している。リブ７６，８０が、それぞれ、段
７５，７９から近位側に突出している。リブ７６，８０は、凸状である。段７５，７９は
、互いに離間していることを理解されたい。
【００２０】
段７５，７９の前には、２つのボス８４がシェル基部の内面から上方に延在している。
各ボス８４には、（部番が付されていない）有底孔が形成されている。ボス８４は、シェ
ル７０の上側リム８３の方に位置している。ボス８６が、シェル基部の内面から上方に延
在している。ボス８６は、ボス８４の下方かつ遠位側前方に位置している。（部番が付さ
れていない）有底孔が、ボス８６の露出面から内方に延在している。
【００２１】
４つのリブ８８，９２，９６，１０２が、シェル基部から上方に延在している。リブ８
８，９２，９６，１０２は、ボス８６の前方に位置している。リブ８８，９２，９６、１
０２は、概して、互いに平行であり、シェルの上部に隣接する箇所から下側リム１３９に
向かって、シェル基部を横切って延在している。リブ８８は、リブの本体から上方に延在
する２つの互いに離間したタブ９０を有するように、形成されている。タブ９０間におい
て、リブ８８は、（部番が付されていない）凹状の上面を有している。リブ９２，９６は
、内方に湾曲した面を有しており、該面は、リブによって画定されたノッチの基部として
機能する（面およびノッチには部番が付されていない）。リブ１０２は、概して、リブ９
２，９６の内方に湾曲した面の上方に突出している。リブ１０２は、（部番が付されてい
ない）Ｕ字状ノッチを有するようにさらに形成されている。
【００２２】
２つのボス１０６，１０８が、シェル基部から上方に延在している。ボス１０６，１０
８は、いずれもリブ１０２の前方に位置している。ボス１０６は、シェル７０の上側リム
の方に位置している。ボス１０８は、シェル７０の下側リムの方に位置している。ボス１
０８は、ボス１０６の直径よりも小さい直径を有している。ボス１０６，１０８のいずれ
にも、（部番が付されていない）有底孔が形成されている。ボス１０８は、孔１０６の直
径よりも小さい直径を有している。
【００２３】
右側シェル７０は、ボス１０６，１０８の前方にボス１１０を有するように、形成され
ている。ボス１１０は、ボス１０６，１０８間に位置すると共にボス１０６，１０８の遠
位側前方に位置している。ボス１１０には、（部番が付されていない）有底孔が形成され
ている。４つの互いに等角に離間した補強ウエブ１１２が、ボス１１０の外面から半径方
向外方に突出している。ウエブ１１２には、ボス１１０の外面から下向きにテーパが付さ
れている。ウエブ１１２は、シェル７０の基部の内面から上方に延在するリング１１４に
向かって延在している。リング１１４は、ボス１１０がシェルの上方に延在する距離より
も短い距離にわたって、シェル７０の上方に延在している。
【００２４】
図６Ｂに最もよく示されているように、ブラケット１２２も右側シェル７０に一体に形
成されている。ブラケット１２２は、シェル７０の内面から外方に突出する３つの平行バ
ー１１８上に着座している。バー１１８およびブラケット１２２は、いずれもボス１０８
，１１０間に位置すると共にボス１０８，１１０の下方に位置している。ブラケット１２
２は、その主軸、すなわち、長軸がシェルの上下リム間に延在する線に沿って延在するよ
うな略細長構造を有している。ブラケット１２２は、その下端が凸状の底面１２４を有す
るように形成されている。このブラケットは、底面１２４から近位側および上方に延在す
る第１の近位側面１２６を有している。第１の近位側面１２６には、概して、底面１２４
から近位側および上方に向かってテーパが付されている。このブラケットは、第１の近位
側面１２６の上方に凸状の第２の近位側面１２８を有している。これによって、側面１２
８は、ブラケット１２２内にノッチを画定している。このブラケットは、側面１２８の上
方に段面１３０を画定するように、形作られている。段面１３０は、第２の側面１２８の
外側上縁から略遠位側前方に延在している。段面１３０は、凹状である。ブラケット１２
２は、第３の近位側面１３２を有するようにさらに形成されている。第３の近位側面１３
２は、段面１３０の遠位端から上方および近位側に延在している。第３の近位側面１３２
は、上面１３４に合一している。上面１３４は、略半円形状を有している。遠位側面１３
６が、上面１３４から底面１２４に向かって下方に延在している。
【００２５】
右側シェル７０の下側リム１３９は、ブラケット１２２の下方かつ前方に細長のノッチ
１４０を画定するように、形成されている。ノッチ１４０は、シェルがハンドピースのグ
リップ部６７からバレル部６５に湾曲する箇所に位置している。ノッチ１４０の近位側に
おいて、ピン１３５がシェル基部６９から上方に延在している。ピン１３５は、シェルの
下側リム１３９から内方に離間している。Ｊ字状ブラケット１３７が、シェル基部６９か
ら外方に延在している。ブラケット１３７は、完全ではないが実質的にピン１３５を包囲
している。右側シェル７０は、ブラケット１３７がピン１３５の遠位側を向く面を包囲し
ないように、形作られている。
【００２６】
ノッチ１４０の上方には、３つの平行レール１４２，１４８，１５２が、シェル７０の
基部の内面から内方に延在している。レール１４２，１４８，１５２は、ハンドピース６
４のバレル区域を形成するシェル７０の部分に位置している。レール１４２は、シェル７
０の上端の方に位置している。レール１５２は、シェルの下端の方に位置している。レー
ル１４８は、レール１４２，１５２間に位置している。レール１４２，１４８，１５２は
、各々、シェル７０を横切って延在する共通線上に位置する近位端を有している。ウエブ
１４２，１５２は、レール１４８よりもさらに遠位側に延在している。３つのウエブ１４
４が、基部またはシェル７０の内面から上面に延在している。また、各ウエブ１４４は、
レール１４２の上面から外方に延在している。リム１４６が、ウエブ１４２の外面から外
方に突出している。さらに具体的には、リム１４６は、レール１４２の上部から外方に突
出している。
【００２７】
円筒ボス１５０が、レール１４８と一体に形成されている。ボス１５０は、レール１４
２，１５２の後方に位置するように、レール１４８の近位端に配置されている。ボス１５
０には、（部番が付されていない）有底孔が形成されている。リム１５３が、レール１５
２の露出面の底から外方に延在している。リム１４６，１５３のいずれにも、凹み１５１
が形成されている（リム１４６上の凹みのみに部番が付されている）。凹み１５１は、互
いに面するリム１４６，１５３の対向面から内方に延在している。
【００２８】
３つのウエブ１５４，１５６，１５８が、シェル基部６９から上方に延在すると共にレ
ール１５２の底面から外方に延在している。ウエブ１５４は、レール１５２の近位端に隣
接して位置している。シェル７０は、円筒ボス１５５がシェルの基部から上方に延在する
ように、形成されている。ボス１５５は、レール１５２から離間したウエブ１５４の端に
一体化されている。（部番が付されていない）有底孔が、ボス１５５の露出面から延在し
ている。ウエブ１５６は、ウエブ１５４の前方に位置し、ウエブ１５４よりも大きい長さ
（レール１５２から突出する距離）を有している。ウエブ１５８は、最遠位ウエブであり
、ウエブ１５４よりも短くなっている。段１６０が、レール１５２の底から外方に突出し
ている。段１６０は、レール１４２の段１４６と同様の形状を有している。
【００２９】
２つの付加的な円筒ボス１６２，１６４が、シェル７０の内面から上方に延在している
。ボス１６２は、レール１４２の遠位端のすぐ上に位置している。ボス１６４は、レール
１５２の遠位端のすぐ下に位置している。（部番が付されていない）有底孔が、ボス１６
２，１６４に形成されている。
【００３０】
右側シェル７０は、上側リム１６７にノッチ１６８を画定するように、さらに形成され
ている。ノッチ１６８は、シェル７０の近位端からシェルのグリップ形成部６７の全体に
沿って延在している。また、ノッチ１６８は、シェル７０のバレル形成部６５に沿ってい
くらか延在している。シェル７０は、ノッチ１６８のいくらか下方においてシェル基部６
９から外方に突出する棚１７０を画定するように、さらに形成されている。棚１７０は、
ノッチ１６８の下方の空間を占め、ノッチの遠位端から前方にわずかに、例えば、略１ｃ
ｍ延在している。ウエブ１７２が、棚１７０に延在している。複数、図示の例では、５つ
のウエブ１７２が、上側リムと棚１７０との間に延在するように、シェル基部から上方に
延在している。ウエブ１７２は、凹面を有している。さらに具体的には、蓋１７０および
ウエブ１７２は、吸引チューブ６６を棚上の空間に圧縮保持するように、寸法決めされて
いる。
【００３１】
本発明の図示されている形態では、ブラケット７６が棚１７０の下面から下方に延在し
ている。また、ウエブ８８，９２，９６，１０２，１４４も、各々、棚１７０の下面から
下方に延在している。
【００３２】
３つの平行ヨーク１７６，１７８，１８０が、シェル７０の内面から上方に延在してい
る。ヨーク１７６，１７８，１８０は、レール１４２，１５２の前方に位置し、レール１
４２，１５２間に位置する線に沿った同一線の横軸を有している。ヨーク１７６，１７８
，１８０は、概して、平面構造の形態にある。各ヨーク１７６，１７８，１８０は、円弧
状基部を有するノッチを画定するように、形作られている（ノッチには部番が付されてい
ない）。また、２つの付加的なヨーク１８２が、シェル７０の内面から上方に延在してい
る。これらのヨーク１８２は、互いに平行である。各ヨーク１８２は、シェルの上側リム
の内面から下方に延在している。最近位側のヨーク１８２は、ヨーク１７８と長手方向に
おいて略真っ直ぐに並んでいる。遠位側のヨーク１８２は、ヨーク１８０の前方に位置し
ている。各ヨーク１８２は、湾曲した基部を有するノッチを画定するように形成されてい
る（ノッチには部番が付されていない）。
【００３３】
右側シェル７０の基部は、貫通開口１８６を有するように形成されている。貫通開口１
８６は、ヨーク１７８，１８０間に位置している。貫通開口１８６は、略矩形状である。
本発明の図示されている態様では、貫通開口１８６の最近位コーナが丸められている。貫
通開口１８６の主軸は、ヨーク１７８，１８０の長軸と平行である。右側シェルは、貫通
開口１８６の前方から離間した位置に凹状パネル１８８を有するように形成されている（
凹状パネル１８８の遠位端は、図５に部分的にしか示されていない）。シェル７０は、パ
ネル１８８が該シェルの遠位端から近位側後方に延在するように、形作られている。従っ
て、パネル１８８は、シェル基部６９の外面に凹部を画定する。この凹部は、シェル７０
の内側に通じている。
【００３４】
シェル７０の遠位側リムには、２つの半円形ノッチ１９４，１９６が形成されている。
【００３５】
図７および図８から、左側シェル２１０は、右側シェル７０と鏡面対称の形状を有して
いることが分かるだろう。左側シェル２１０は、基部２７２および該基部から内方に延在
する一組のリムを有している。シェル７０，２１０が一緒に配置されたとき、右側シェル
リム７１，１３９，１６７，１９３は、それぞれ、左側シェルリム２７４，３１２，３１
８，３４６に当接するようになっている。
【００３６】
左側シェル２１０は、遠位端リム２７４を有するように形成されている。リム２７４に
は、ノッチ２７６が形成されている。左側シェルノッチ２７６は、右側シェルノッチ７２
と対称的である。ここで、シェル７０，２１０の構成部品間の「対称性」は、シェル間に
上下に延在する面を中心とするものである。左側シェルには、２つのブラケット２７８，
２８０が形成されている。これらのブラケット２７８，２８０は、ノッチ２７６の近位側
前方に位置し、ノッチ２７６を覆って延在している。ブラケット２７８は、右側シェルブ
ラケット７４と位置および形状に関して対称的である。ブラケット２８０は、右側ブラケ
ット７８と位置および形状に関して対称的である。従って、図示されていないが、ブラケ
ット２７８は、段７５およびリブ７６を有するように形成されていると見なすことができ
る。ブラケット２８０は、段７９およびリブ８０を有している。
【００３７】
４つのポスト２８４，２９６，３０８，３２６が、シェル基部２７２の内面から外方に
延在している。各ポスト２８４，２９６，３０８，３２０は、該ポストの自由端から外方
に延在するピン２８７（１つのみに部番が付されている）を有するように、形成されてい
る。ピン２８６は、ポスト２８４，２９６，３０８，３２６の直径よりも小さい直径を有
している。シェル７０，２１０は、これらのシェルがハンドピース６４を組み立てるため
に互いに押し込まれたとき、ポスト２８４と一体のピン２８７が右側シェルボス８６と一
体の孔内に着座し、ポスト２９６と一体のピン２８７が右側ボス１０６と一体の孔内に着
座し、ポスト３０８と一体のピン２８７がボス１５５と一体の孔内に着座し、ポスト３２
６と一体のピン２８７がボス１６２と一体の孔内に着座するように、構成されている。シ
ェルの構成部品は、相補的なボス内へのピン２８７の着座によって２つのシェル７０，２
１０が互いにスナップ嵌合または圧縮嵌合するように、さらに寸法決めされている。
【００３８】
ポスト２８４，２９６間において、リブ２８６，２８８，２９０，２９２が、シェル基
部２１２の内面から外方に延在している。リブ２８４は、右側リブ８８と形状および位置
に関して対照的である。従って、リブ２８４には、タブ９０が形成されている。リブ２８
８は、右側リブ９２と形状および位置に関して対称的である。リブ２９０は、右側リブ９
６と形状および位置に関して対照的である。リブ２９２は、右側リブ１０２と形状および
位置に関して対照的である。
【００３９】
左側シェル２１０は、ポスト２９６の前方および下方において、ブラケット２９８がシ
ェル基部２１２の内面から外方に延在するように、さらに形成されている。ブラケット２
９８は、右側シェルブラケット１２２と対照的である。従って、図示されていないが、ブ
ラケット２９８は、ブラケット１２２の面１２４，１２６，１２８，１３０，１３２，１
３４，１３６と同一の面を有することを理解されたい。
【００４０】
２つのボス３０４，３０８が、左側シェル基部２７２から外方に突出している。ボス３
０４は、右側シェルボス１１０と位置に関して対照的である。ボス３０８は、右側ボス１
５０と位置に関して対称的である。各ボス３０４，３０８には、（部番が付されていない
）有底孔が形成されている。補強ウエブ３０６が、各ボス３０４の周囲からシェル基部２
７２に向かって外方に延在している。
【００４１】
左側シェル２１０は、下側リム３１２を有している。底リム３１２には、ノッチ３１４
が形成されている。ノッチ３１４は、右側シェル７０と一体のノッチ１４０と形状および
位置に関して対照的である。ノッチ３１４のすぐ前方において、ボス３１６が左側シェル
基部２７２から上方に延在している。ボス３１６は、右側シェルボス１６４と対照的であ
る。ボス３１６には、（部番が付されていない）有底孔が形成されている。
【００４２】
左側シェル２１０は、下側リム３１２の反対側に、上側リム３１８を有している。シェ
ル２１０は、ノッチ３２０がリム３１８の近位端から遠位側前方に延在するように、形作
られている。ノッチ３２０は、右側シェルノッチ１６８と対称的である。棚３２２が、ノ
ッチ３２０の下方においてシェル基部２１２から外方に突出している。左側シェル棚３２
２は、右側シェル棚１７０と対称的である。左側シェル２１０は、ウエブ３２４を有する
ようにさらに形成されている。ウエブ３２４は、右側シェルウエブ１７２と対称的である
。ハンドピース６４が組み立てられたとき、灌注チューブ５６は、棚３２２上に位置し、
ウエブ３２４に当接する。
【００４３】
左側シェル２１０は、ポスト３２６の前方に３つの平行ヨーク３３０，３３２，３３４
を有するように形成されている。ヨーク３３０は、右側シェルヨーク１７６と形状および
位置に関して対称的である。ヨーク３３２は、右側ヨーク１７８と形状および位置に関し
て対称的である。ヨーク３３４は、右側ヨーク１８０と形状および位置に関して対称的で
ある。
【００４４】
ヨーク３３２，３３４の上方には、２つの付加的な平行ヨーク３３６が位置している。
各ヨーク３３６は、右側シェルヨーク１８２の個々のものと形状および位置に関して対称
的である。ヨーク３３６は、上側リム３１８の内面から外方に延在している。
【００４５】
左側シェル２１０には、貫通開口３４０および凹状パネル３４２が形成されている。貫
通開口３４０は、右側シェル７０と一体の貫通開口１８６と形状および位置に関して対称
的である。パネル３４２は、右側シェル凹状パネル１８８と対称的である。左側シェル２
１０は、遠位リム３４６を有している、リム３４６は、２つの半円状ノッチ３４８，３５
０を有するように形成されている。ノッチ３４８は、右側シェルノッチ１９４と対称的で
ある。ノッチ３５０は、左側シェルノッチ１９６と対称的である。
【００４６】
図３および図４に戻ると、モータ３６０がシェル７０，２１０間に挟み込まれているこ
とが理解されるだろう。モータは、本体３６２を有している。本体３６２は、同様の長さ
の直径を有する複数の円筒区域を有している。円筒状ヘッド３６４が、本体３６２から前
方に延在している。回転シャフト３６６が、ヘッド３６４から前方に延在している。モー
タヘッド３６４は、本体３６２の直径よりも小さい直径を有している。シャフト３６６は
、モータヘッド３６４の直径よりも小さい直径を有している。モータ本体３６２は、右側
スリーブリブ９２，９６のノッチを画定する内方湾曲面および左側スリーブリブ２８８，
２９０の相補的な面に対して、着座している。本体３６２の近位端は、シェルリブ８８，
２８６の遠位面に対して配置されている。モータ本体の遠位端は、シェルリブ１０２，２
９２の近位面に対して配置されている。モータヘッド３６４は、シェルリブ１０２，２９
２によって画定されたノッチを貫通している。
【００４７】
ギア３７０が、モータシャフト３６６の自由端に装着されており、該シャフトと共に回
転するようになっている。ギア３７０は、ハンドピース６４と一体のフェースギア３７２
にも係合している。図９に示されているように、フェースギア３７２は、円板状基部３７
４を備えている。歯３７６が、基部３７４の外周の周りに延在するように、基部３７４か
ら上方に延在している。隆起した円形台座３７８が、基部３７４の中心から上方に延在し
ている。内側および外側スリーブ３８０，３８４が、それぞれ、台座３７８の露出面から
上方に延在している。台座３７８およびスリーブ３８０，３８４は、中心軸、具体的には
、ギア基部３７２の回転軸と同軸である。外側スリーブ３８４の内面は、内側スリーブ３
８０から半径方向外方に離間している。円弧的に互いに離間して、ウエブ３８２が、内側
スリーブ３８０の外面と外側スリーブ３８４の隣接する内面との間に延在している。部番
が付されていないが、同軸貫通孔が内側スリーブ３８０およびその下の台座３７８を貫通
している。外側スリーブには、歯３８６が形成されている。
【００４８】
図４に示されているように、ピン３９０が、フェースギア３７０をハンドピース６４内
に回転可能に保持している。ピン３９０は、台座３７８および内側スリーブ３８０を貫通
する軸方向孔を通って延在している。ピン３９０の一端は、右側シェルボス１１０と一体
の孔内に着座している。ピン３９０の他端は、左側シェルボス３０４と一体の孔内に着座
している。フェースギア３７０は、ギア基部３７２が右側シェルボス１１０に隣接するよ
うに、位置決めされている。ハンドピース６４が組み立てられたとき、シャフトギア３７
０は、フェースギア歯３７６に係合するようになっている。
【００４９】
フェースギア３７０は、ハンドピース６４内に回転可能に配置された偏心ギア３９６を
駆動するようになっている。図１０に最もよく示されているように、偏心ギア３９６には
、円形基部３９８が形成されている。基部３９８には、多数の互いに円弧的に離間した貫
通開口４０２が形成されている。また、基部３９８は、多数の互いに円弧的に離間した凹
部４０４を有するように形成されている。凹部４０４は、基部の外周の内方に位置してい
る。本発明の図示されている態様では、凹部は、種々の円弧を画定している。さらに、大
きな円弧に沿って延在する凹部４０４は、複数の開口４０２と交差している。歯４０６が
、基部３９８の外周から外方に突出している。円筒ヘッド４０８が、ギア基部３９８から
上方に突出している。ヘッド４０８の長手方向中心軸は、基部３９８の回転軸から横方向
にずれている。偏心ギアは、貫通孔４１０を有するようにさらに形成されている。孔４１
０は、基部３９８の回転軸を回転軸を貫通すると共に、基部３９８の回転軸の上に延在す
るヘッド４０８の外側部分を貫通している。ギア３９６には、２つの空洞４１２が形成さ
れている。空洞４１２は、ヘッド４０８およびヘッドの下方の基部３９８の部分を貫通し
ている。これらの空洞４１２は、孔４１０を二分する面を中心として対称的である。
【００５０】
図４に示されているように、ピン４１６が、偏心ギア３９６をハンドピース４６内に回
転可能に保持している。ピン４１６の一端は、右側シェルボス１５０と一体の孔内に着座
している。ピン４１６の他端は、左側シェルボス３０８と一体の孔内に着座している。ハ
ンドピース６４が組み立てられたとき、偏心ギア歯４０６は、フェースギア３７２の歯３
８６と係合するようになっている。
【００５１】
ポンプ４２０は、ポンプハウジング４２２を備えている。以下、図１１〜図１４を参照
して、ポンプハウジング４２２について説明する。ポンプハウジング４２２は、成形プラ
スチックの単一片から形成されており、基部４２４を備えている。基部４２４は、外側ス
リーブ４２６を備えている。外側スリーブ４２６は、外面に沿って略一定の直径を有して
いる。リップ４２８が、スリーブ４２６の近位端から半径方向外方に突出している。リン
グ４３０が、リップ４２８から近位側後方に延在している。リング４３０は、リップ４２
８の外周の内方に位置している。本発明の図示されている態様では、リング４３０は、外
側スリーブ４２６の外径よりも大きい内径を有している。ポンプハウジングは、リングの
外面に沿って、段４３２がリングの周りに周方向に延在するように、さらに形成されてい
る。従って、リング４３０の近位部の外径は、リングの遠位部、すなわち、段４３２の遠
位側の部分の外径よりも小さくなっている。２つの柔軟な脚４３４が、リップ４２８から
後方に延在している。これらの脚４３４は、直径方向において互いに対向している。各脚
４３４には、内向きの足４３６が形成されている。
【００５２】
ポンプハウジング４２２には、外側スリーブ４２６と同軸で外側スリーブ４２６内に配
置された内側スリーブ４３８が形成されている。内側スリーブ４３８は、外側スリーブ４
２６の近位端から遠位側に延在している。内側スリーブ４３８は、外側スリーブの略中央
面の位置で終端している。外側スリーブ内の（部番が付されていない）円形ウエブが内側
スリーブに延在している。スリーブ４２６，４３８は、これらのスリーブ間に環状隙間が
生じるように、寸法決めされている（間隙には部番が付されていない）。内側スリーブ４
３８の近位端において、円形リップ４４２が該スリーブから内方に延在している
【００５３】
外側スリーブ４２６は、３つの孔が一緒になってスリーブを貫通するように、さらに形
成されている。第１の孔４４６は、内側スリーブ４３８の内壁によって画定されている。
第２の孔４８０は、孔４４６のすぐ前方に位置している、第３の孔４８２は、外側スリー
ブ４２６内への遠位端開口を形成している。スリーブ４２６は、孔４８２が孔４８０の直
径よりも大きい直径を有するように形成されている。
【００５４】
ポンプハウジング４２２は、円筒ネック４８４を有するように、さらに形成されている
。ネック４８４は、外側スリーブ４２６と直交して上方に延在している。ポンプハウジン
グ４８４は、ネック４８４が（スリーブ４２６を通る長軸と直交すると共にスリーブ４２
６を通る長軸から横方向にずれた）軸に沿って上方に延在するように、形成されている。
ネック４８４には、通路４８６が形成されている。図１２および図１３に示されているよ
うに、通路４８６は、外側および内側スリーブ４２６，４３８間の環状隙間内に開いてい
る。
【００５５】
ハウジングネック４８４は、ヘッド４９０まで延在している。ポンプハウジングヘッド
４９０は、略多角形と見なされる多数の副区域から形成された（部番が付されていない）
主区域を有している。本発明の開示されている態様では、ヘッド４９０には、上側開口４
９２が形成されている。開口４９２は、ネック通路４８６と同軸である。開口４９２は、
ポンプハウジング４２２を形成するために用いられる射出成形プロセスの結果として生じ
るものである。さらに具体的に、開口４９２は、ネック通路４８６を画定する型の構成部
品の結果として生じるものである。ハンドピース６４を製造するプロセス中に、（図４に
のみ示されている）キャップ４９４が、開口４９２を閉じるためにハウジングヘッド４９
０の上部に装着されるようになっている。
【００５６】
ポンプハウジング４２２は、２つの取付具４９６，５０４がヘッド４９０の近位面から
近位側に延在するように、形成されている。取付具４９６は、灌注チューブ５６の遠位端
が装着される取付具である。ハウジング４２２には、有底孔４９８が形成されている。有
底孔４９８は、取付具４９６を貫通し、ヘッド４９０を部分的に通ってネック通路４８６
に至るようになっている。従って、孔４９８は、灌注流体が灌注チューブからポンプハウ
ジング基部４２４内に流れるときに通る導管である。
【００５７】
円筒ノーズ５０２が、ハウジングヘッド４９０から遠位側前方に延在している。ノーズ
５０２には、円筒孔５１２が形成されている。円筒孔５１２は、ノーズ５０２の遠位端（
前端）から近位側後方に延在している。ノーズ５０２および孔５１２は、長手方向の共通
軸を共有している。この軸の延長線は、取付具４９６，５０４がハウジングヘッド４９０
から延在するそれぞれの箇所間において該ヘッド４９０を貫通している。２つの通路５０
６，５０８が、取付具５０２からヘッドを通って孔５１２に至る流体連通路として機能し
ている。通路５０６，５０８は、平面軸に沿っている。これらの通路の最初の通路、すな
わち、通路５０６は、取付具５０４およびヘッドの近位部を通って遠位側前方に延在して
いる。通路５０８は、孔５０８の基部から略ヘッド４９０の遠位部に向かって延在してい
る。通路５０６，５０８は、いずれも、Ｄ字状の断面輪郭を有している。通路５０６，５
０８は、同軸ではない。代わって、ポンプハウジング４２２は、通路５０６の最幅部が通
路５０８の最幅部と真っ直ぐに並ぶように、形成されている。ハウジングヘッドは、通路
５０６の最遠位部から通路５０８にわたってテーパが付されるように、さらに形成されて
いる。同様に、通路５０８の最近位部から通路５０６にわたってテーパが付されている。
従って、通路５０６，５０８は、一緒になって、ポンプハウジング４２２を通る非線形経
路を形成することになる。
【００５８】
ハンドピース６４の組立時に、ポンプハウジング基部４２４は、右側シェルヨーク１７
６，１７８，１８０と相補的な左側シェルヨーク３３０，３３２，３３４との間に挟み込
まれる。ハウジングリップ４２８の遠位面は、ヨーク１７８，３２０の近位面に対して配
置される。ポンプハウジングヘッド４９０は、右側シェルヨーク１８２と一体のノッチ内
および相補的な左側シェルヨーク３３６によって画定されたノッチ内に着座している。
【００５９】
図１５および図１６に最もよく示されているように、ポンプ４２０の一部でもあるベロ
ーズ５１４が、ハウジング基部４２４から近位側に延在している。ベローズ５１４は、柔
軟な熱可塑性プラスチックから形成されており、周方向に延在する（部番が付されていな
い）襞が形成された円筒状本体５１６を有している。ベローズ本体５１６は、近位側閉端
を有している。ボタン５１９が、ベローズ本体５１６の閉端から外方に延在している。ボ
タン５１９の直径よりも小さい直径を有するネック５１７が、ボタンを本体５１６の閉端
に接続している。リップ５１８が、ベローズ本体５１６の開端の半径方向外方および周方
向に延在している。リング５２０が、リップ５１８の外周からハウジングリング４３０に
向かって延在している。さらに具体的には、ベローズリング５２０は、ハウジングリング
４３０の周りに密着して延在している。図１５にのみ示されているＯリング５２４が、リ
ング４３０と一体の段４３２に着座している。Ｏリング５２４は、ハウジングリング４３
０とベローズリップ５１８との間に押圧されている。Ｏリング５２４は、ベローズ５１４
とポンプハウジング基部４２４との間のシールとして寄与するものである。ハウジング脚
４３４は、ベローズリング５２０の外面の全体にわたって延在している。ハウジング足４
３６は、ベローズをポンプハウジング４２４に保持するために、ベローズリップ５１８を
覆って延在している。
【００６０】
ポンプ４２０の一部でもあるダックビル弁５２６が、ハウジング孔４４６によって画定
された孔内に着座している。弁５２６は、該弁の開端がベローズ５２０の方を向くように
配置されている。弁５２６のリップは、チューブ孔４８０の方を向いている。弁５２６は
、弁の開端の周りに弁から半径方向外方に延在する基部５２８を有している。基部５２８
は、湾曲した断面を有している。弁基部５２８の外周は、内側スリーブ４３８の近位端お
よび隣接するリップ４４２を覆って延在している。
【００６１】
ハンドピース６４が組み立てられると、ベローズリップ５１６は、ヨーク１７６，３３
０のそれぞれの遠位面に対して配置される。この構造部品の接触によって、ポンプハウジ
ング４２０およぶベローズリップ５１６の両方の近位側運動が阻止される。
【００６２】
ポンプ４２０の一部でもあるヨーク５３４が、ハンドピース６４内に移動可能に配置さ
れている。図１７に最もよく示されているように、単一ユニットであるヨーク５３４は、
略矩形状フレーム５３６を備えている。フレーム５３６の長軸は、ハンドピースバレルの
長軸と平行である。フレーム５３６は、多数の長手方向および横方向にそれぞれ延在する
ビーム５３８，５４０から形成されている。２つの最近位側に配置された横方向ビーム５
４０は、楕円開口５４２をフレームに画定するように、湾曲している。開口５４２の主軸
は、フレーム５３６の長手方向の主軸と直交している。開口５４２は、偏心ギアヘッド４
０６を受け入れるように寸法決めされた短幅を有している。
【００６３】
ヨーク５３４は、フレーム５３６の遠位端に配置された２つの平行ディスク５４４，５
４６をさらに備えている。互いに離間したディスク５４４，５４６は、ヨークフレーム５
３６と直交する面内に位置している。これらのディスクは、フレームを通る長軸の延長線
を中心としている。最遠位ディスク５４６には、Ｕ字状ノッチ５５０が形成されている。
ノッチ５５０の基部の中心は、フレームを通る長軸の延長部上に位置している。ディスク
５４４，５４６は、ディスク間のベローズボタン５１９のすべり嵌めを容易にする距離だ
け離間している。ディスク５４６は、ノッチ５５０がベローズネック５１７を受け入れる
ことができるように、形作られている。
【００６４】
ハンドピース６４の組立中に、ヨーク５３４は、右側シェルレール１４２，１４８，１
５２上に着座するように位置決めされる。さらに具体的には、ヨーク５３４は、レール１
４２のリム１４４とレール１５２のリム１５３との間に配置される。ヨーク５３４がこの
ように位置決めされると、偏心ギア３９６のヘッド４０８は、ヨークフレーム開口５４２
内に着座する。ベローズボタン５１９は、ディスク５４４，５４６間に着座する。ベロー
ズ５１４およびヨーク５３４の両方のこのような構造によって、ベローズ本体５１６は、
ヨークの往復運動によって拡張および収縮することになる。
【００６５】
図１８の実線および図１８Ａの破線によって示されているケーブル５５１は、典型的に
は、対の灌注チューブ５６および吸引チューブ６６を備えるアセンブリと共に束ねられて
いる。ケーブルの近位端は、洗浄ユニット５０に関連する電源５４９に接続されている。
この電源５４９は、バッテリパックの形態にあるとよい。代替的に、電源は、異なる２つ
の電位にあるＡＣ電圧−ＤＣ電圧の変換を行う装置の形態にあってもよい。電源の正確な
構造は、本出願の洗浄ユニット５０の構造の一部をなすものではない。図１８Ａでは、電
源５４９は、４つの直列に接続された電池として示されている（個々の電池には、部番が
付されていない）。
【００６６】
ケーブル５５１内には、複数の絶縁ワイヤが配置されている。説明を容易にするために
、これらのワイヤは、図１８Ａにのみ示されている。１つのワイヤ５５２は、モータ３６
０に取付けられた接点５５３に接続されている。ワイヤ５５２の近位端は、典型的には、
電源５４９に関連するアースに接続されている。ケーブル５５１は、２つの追加的なワイ
ヤ５５４，５５８を備えている。ワイヤ５５４，５５８は、種々の電位を有する通電信号
を電源５４９からハンドピースに供給するワイヤである。図１８Ａでは、これは、一緒に
なって４つの電池の全てに接続されているワイヤ５５２，５５４、および一緒になって２
つの電池のみに接続されているワイヤ５５２，５５８によって、示されている。ワイヤ５
５４は、第１の右側シェルボス８４から突出する導電性ポスト５５６に接続されている。
ワイヤ５５８は、第２の右側シェルボス８４から突出する導電性ポスト５６０に接続され
ている。
【００６７】
スイッチ５６２が、ハンドピース６４の近位端に摺動可能に取り付けられている。以下
、図１９および図２０に基づき、スイッチ５６２について説明する。スイッチ５６２は、
略矩形状のプレート５６４を備えている。閉ループリブ５６６が、プレート５６４の近位
面から外方に突出している。リブ５６６は、概して、丸形コーナを有する矩形の形態にあ
る。リブ５６６は、親指または他の指の先を受け入れるための（部番が付されていない）
空間を画定するように、寸法決めされている。細長の足５６８が、プレート５６４の遠位
面から直角に前方に延在している。足５６８は、略三角形状である。スイッチ５６２は、
足５６８の遠位端から内方に延在する空洞５７０を有するように、形成されている。２つ
の平行リブ５７２も、プレート５６４の遠位面から外方に突出している。リブ５７２は、
互いに平行であるのに加えて、足５６８が配置された面と平行である。導電性接点５７６
が、足空洞５７０内に着座し、足空洞５７０から外方に延在している。
【００６８】
スイッチ５６２は、プレート５６４の近位面がシェル７０，２１０の内面に対して配置
されるように、ハンドピースに取り付けられている。互いに隣接するノッチ７２，２７６
によって形成されたハンドピースの開口を通して、スイッチプレート５６４の近位面にア
クセスすることができる。プレート５６４の遠位面は、右側シェルブラケット７４，７８
および相補的な左側シェルブラケット２７８，２８０のすぐ後方に配置される。
【００６９】
スイッチ５６２は、該スイッチが取り付けられた空間内において摺動可能に移動するよ
うになっている。スイッチ５６２は、相補的なハンドピースリブ７６の下面に対する下側
リブ５７２の当接によって、１つの位置に保持される。スイッチは、リブ８０の上面に対
する上側リブ５７２の当接によって、第２の位置に保持される。ブラケット７４，２７８
およびブラケット７８，２８０の柔軟性に起因して、ブラケットおよび関連するリブを手
動力によって撓ませ、スイッチ５６２の摺動を行うことができる。接点５７６は、導電性
ポスト５５６，５６０間に配置されている。スイッチ５６２の位置に依存して、接点５７
６は、ポスト５５６またはポスト５６０のいずれかに当接することになる。
【００７０】
絶縁ワイヤ５７８が、接点５７６から延在している。ワイヤ５６８をコネクタ５７６に
接続する端子５７７が、図４に示されている。この端子５７７は、接点５７６の一部であ
る（部番が付されていない）タブに接続されている。ワイヤ５７８の他端は、右側シェル
７０に移動可能に取り付けられた接点５８２に接続されている。図１８Ｂに最もよく示さ
れているように、接点５８２は、円弧状に形作られた柔軟な金属片の形態にある。接点５
８２は、一端に湾曲したヘッド５８４を有している。接点のこのヘッドは、タブ１４３と
シェル下側リム１３９との間の空洞内に着座するようになっている。図１８では、右側シ
ェル７０に対する接点の位置を明瞭にするために、トリガー５６１が省略されている。接
点５８２は、ヘッド５８４に隣接するタブ５８５を有している。タブ５８５は、コネクタ
５８７（図４）が取り付けられる接点の構造部品である。コネクタ５８７は、ワイヤ５７
８の端を接点５８２に保持する構成部品である。
【００７１】
接点５８２の本体は、最初、ヘッドから遠位側に湾曲している。接点５８２の自由端は
、モータ３６０の遠位面に向かって上方および近位側に湾曲している。接点５８２の自由
端は、ボス１０８から上方に突出する導電性ポスト５８６に当接するように、位置決めさ
れている。接点の形状およびタブ１４３の拘束力に起因して、接点５８２は、通常時、ポ
スト５８６から離間している。絶縁ワイヤ５８８が、ポスト５８６からモータ３６０に取
り付けられた第２のコネクタ５８９に延在している。
【００７２】
ハンドピース６４が組み立てられたとき、接点５８２は、接点ヘッド５８４がシェルピ
ン１３５の周りに着座するように、位置決めされる。接点５８２の本体は、シェルブラケ
ット１３７の遠位端に隣接する空間内においてピンから遠位側に延在している。
【００７３】
図２１および図２２に最もよく示されているように、トリガー５６１は、プラスチック
の単一片から形成されている。トリガー５６１は、略矩形状の前パネル６０２を有するよ
うに、形作られている。２つの平行側パネル６０４が、前パネル６０２の両側縁から近位
側後方に延在している。側パネル６０４は、近位側に延在するのに加えて、前パネル６０
２の下に向かって下方に延在している。フィンガー６０５が、各側パネル６０４の近位端
から前方に突出している。各フィンガー６０５は、該フィンガーが一体化された側パネル
６０４から上方に離間した本体を有している。各フィンガー６０５は、撓むことによって
、関連する側パネル６０４に対してその初期位置に戻ることができる。（図では縁しか示
されていない）底パネル６０６が、側パネル６０４間において前パネル６０２から後方に
延在している。タブ６１０が、前パネル６０２と直交して遠位側に延在している。タブ６
１０は、前パネル６０２を通る上下方向長軸と交差する面内に位置している。円筒ビーム
６１２が、タブ６１０を貫通している。従って、ビーム６１２の長軸は、前パネル６０２
を通って横方向に延在する横軸と平行である。
【００７４】
矩形状のタブ６１６が、底パネル６０６の近位縁から上方に延在している。タブ６１６
は、周囲の側パネル６０４から離間して該側パネル６０４間に位置している。タブ６１６
は、トリガー５６１の残りに対して撓むことができる、バー６１８が、タブ６１６の上部
を横切って延在している。バー６１８は、タブ６１６の近位面から外方に突出している。
トリガーの図示されている態様では、側パネル６０４の１つから外方に突出するバーに隣
接する小さいタブ６２０が示されている。トリガー５６１は、タブ６１６が隣接する側パ
ネルの上方にわずかに延在するように、形作られている。円筒ビーム６２２が、タブ６１
６の上部を横切って延在している。ビーム６２２は、シェルブラケット１２２，２９６の
側面１２８および段面１３０に画定されたノッチ内へのタブの着座を容易にする半径を有
している。
【００７５】
ハンドピース６４の組立時に、トリガービーム６１２の両端は、右側シェルボス１６４
および左側シェルボス３１６に形成された対向孔内に着座する。トリガー５６１は、互い
に隣接するノッチ１４０，３１４によって形成された開口を貫通する。トリガー５６１は
、ビーム６１２を通る長軸を中心として旋回することができる。トリガー５６１の下向き
運動は、ノッチ１４０，３１４の近位端を画定するシェル底リム１３９，３１２の内面に
対するバー６１６の当接によって、制限されている。トリガー５６１の上向き運動は、連
結されたボス１５５およびポスト３０８に対するフィンガー６０５の当接によって制限さ
れている。
【００７６】
［ＩＩＩ．チップアセンブリ］
図２３に示されているように、チップアセンブリ６５０は、コネクタ６５２、本体７２
０、および噴霧シールド７７０を備えている。コネクタ６５２は、ハンドピース６４に取
外し可能に取り付けられるチップアセンブリの構成部品である。本体７２０は、ポンプに
よって放出された流体が通る灌注チューブ７３０およびその周囲の吸引チューブ７５０を
備えている。噴霧シールド７７０は、本体７２０の遠位端に取外し可能に取り付けられる
ようになっている。
【００７７】
図２４〜図２６から、コネクタ６５２がプラチックの単一片から形成されており、略楕
円状のプレート６７０を有するように形作られていることが分かるだろう。脚６５４が、
プレートの互いに向き合った側、具体的には、互いに向き合った側縁の各々から後方に延
在している。各脚６５４は、概して、矩形パネルの形態にある。脚６５４は、プレート６
７０に対して柔軟である。各脚６５４は、脚の外側露出面から内方に延在する凹部６５６
を有するように、形成されている。凹部６５６は、指の先を受け入れるように寸法決めさ
れている。足６６０が、各脚の露出面から外方に延在している。各足６６０は、隙間６５
８によって、脚の一部を形成する凹部６５６から離間している。隙間６５８は、（開口１
８６，３３８と相補的な凹状パネル１８８，３４２との間に延在するシェル基部６９，２
７２の部分の着座に適合する）近位−遠位方向幅を有している。足６６０は、脚６５４に
沿って横方向に、すなわち、上下方向に延在している。各足６６０は、該足の近位端に足
を形成するための表面６６２を有している。この表面６６２には、脚６５４から外方およ
び遠位側前方にテーパが付されている。
【００７８】
リム６７２が、コネクタプレート６７０の外周の周りに遠位側前方に延在している。コ
ネクタ６５２は、リム６７２が凹面６７５を有するようにさらに形成されている。凹面６
７５は、リムの遠位側前端において、リムの残りから内方に位置している。リム６７２は
、凹面６７５がリムの周りに周方向に延在するように形成されている。
【００７９】
コネクタ６５２は、チューブ状灌注取付具６７６がプレート６７０を貫通するように、
さらに形成されている。灌注取付具は、３つの区域を有している。これらの３つの区域の
各々は、一定の外径を有しており、プレートの近位側に配置されている。第１の区域６７
８は、プレート６７０にごく隣接して位置している。第２の区域６８０は、区域６７８か
ら近位側に延在している。第３の区域６８２は、区域６８０から近位側に延在し、灌注取
付具６７６の最近位部をなしている。区域６８０は、区域６７８の外径よりも小さい外径
を有している。区域６８２は、区域６８０の外径よりも小さい外径を有している。
【００８０】
灌注取付具は、細長の区域６７３を有している。区域６７３は、プレート６７０の前方
に延在し、区域６７６，６７８，６８０と同軸になっている。区域６７３は、プレート６
７０から遠位側に向かって減少する外径を有している。ノーズ６８４が、灌注取付具６７
６の最遠位部を形成している。ノーズ６８４は、隣接する区域６８２の外径よりも小さい
外径を有している。ノーズの最遠位端には、ノーズの遠位端部の外径がノーズの遠位端か
ら近位側に向かって増大するように、テーパが付されている。コネクタ６５２は、３つの
同心孔６９０，６９２，６９４が灌注取付具を通って延在するように、さらに形成されて
いる。孔６９０は、取付区域６８０の近位端から取付区域６７６，６７８が略交わる箇所
まで遠位側に延在している。孔６９０は、一定の直径を有している。孔６９２は、孔６９
０の遠位端から取付区域６７８，６７３を通って延在している。孔６９２の直径は、孔６
９０から離れるにつれて減少している。孔６９４は、ノーズ６８２が取付区域６８２から
現れる箇所から略始まっている。孔６９４は、一定の直径を有し、灌注取付具６７６の遠
位端に延在している。
【００８１】
また、コネクタプレート６７０は、略管状の吸引取付具７０２を有するように形成され
ている。吸引取付具７０２は、プレートから近位側後方、すなわちリム６７２の後方に延
在している。吸引取付具７０２は、最近位ヘッド区域７０４を有している。ヘッド区域７
０４は、取付具７０２の（部番が付されていない）本体の外径よりも小さい外径を有して
いる。孔７０６が、吸引取付具６０２を軸方向に貫通している。コネクタ６５２は、孔７
０６がプレート６７０の開口から近位側に進むにつれて該孔の直径が減少するように、形
成されている。
【００８２】
コネクタ６５２は、４つの互いに平行に離間したリブ７０８，７１０，７１２，７１４
が、灌注取付具６７６の細長区域６８２から上方に延在するように、さらに形成されてい
る。リブ７０８，７１４は、区域６８２の両外側から外方に延在している。リブ７１０，
７１２は、リブ７０８，７１４間に位置している。リブ７１０，７１２は、取付区域６８
２の上面から上方に延在している。各リブ７０８，７１０，７１２，７１４は、孔７０６
がプレート７０６の遠位面から内方にテーパが付され始める箇所に隣接する位置で終端し
ている。リブ７０８，７１０，７１２，７１４の各々は、（部番が付されていない）上面
を有している。この上面は、灌注取付具の細長区域６８２の遠位側から上方および近位側
に凹状に湾曲し、次いで、上方に直線状に傾斜し、この後、プレート６７０に至るまで凸
状に湾曲している。これらのリブは、リブ７０８，７１４の上面がリブ７１０，７１２の
上面の上方に位置するように、形成されている。
【００８３】
以下、図２７〜図２９を参照して、チップアセンブリ本体７２０について説明する。チ
ップアセンブリ本体７２０は、単一片ユニットとして形成されている。この本体は、ヘッ
ド７２２を有するように形作られている。ヘッド７２２は、楕円状リップ７２４を有して
いる。リップ７２４は、コネクタ６５２と一体のリム６７２を覆ってすべり嵌合するよう
に、寸法決めされている。部番が付されていないが、外方に段の付いた面が、リップの内
壁に形成されており、この段面に対して、リム６７２および該リムの遠位側凹面が着座す
るようになっている。ヘッド７２２は、リップの前方に位置する空洞７２５を画定してい
る。ヘッド７２２は、非対称に形作られている。具体的には、リップ７２４の上部に隣接
するヘッドの外面には、リップによって画定された開口の中心を通る短軸からずれた位置
に向かってテーパが付されている。さらに具体的に、ヘッドは、孔７０６がプレート６５
２から延在する箇所に対して遠位側に短い距離にわたって延在すると共に灌注取付具６７
６の細長区域６８２を収容するために、遠位側により長い距離にわたって延在するように
寸法決めされた空洞７２５を、画定している。このように、ヘッド７２０は、チップアセ
ンブリ本体７２０に沿った近位−遠位方向長軸と直交する面において、ヘッドが遠位側前
方に進むにつれてヘッドの断面積が減少するように、形作られている。
【００８４】
吸引チューブ７３０は、一定の内外径を有しており、ヘッド７２２の遠位端から遠位側
前方に延在している。吸引チューブ７３０は、該チューブの遠位端から略２ｃｍの位置に
４つのタブ７３２を有するように、形成されている（図２７では、３つのタブしか見えて
いない）。これらのタブ７３２は、チューブの外面から外方に突出している。２つのタブ
７３２は、互いに平行であり、チューブ７３０の頂部に隣接する箇所から外方に延在して
いる。残りの２つのタブ７３２は、チューブ７３０の近位端と遠位端との間に延在する長
軸を通る面に対して、第１の２つのタブと対称的に配置されている。
【００８５】
吸引チューブ７３０は、該チューブの遠位端から内方に延在する２つのノッチ７３４を
有するように、さらに形成されている。ノッチ７３４は、Ｕ字状である。これらのノッチ
７３４は、チューブの近位端と遠位端との間に延在する長軸の周りに対称的に配置されて
いる。もしタブ７３２が吸引チューブ７３０の上部および底部から延在しているなら、ノ
ッチ７３４は、チューブの両側部から内方に延在するようになっている。
【００８６】
灌注チューブ７５０が、吸引チューブ７３０の内側に配置されている。灌注チューブ７
５０は、吸引チューブ７３０と同軸ではない。代わって、吸引チューブ７３０の内径より
も小さい外径を有する灌注チューブ７５０は、吸引チューブ７３０の内壁から外方に延在
している。従って、吸引チューブ内の灌注チューブの位置に起因して、吸引チューブは、
図２９に示されているように、三日月状に形作られた貫通管腔７３６を有するとみなすこ
とができる。チップアセンブリ本体７２０は、灌注チューブ７５０が吸引チューブ７３０
の遠位端の近位側の位置で終端するように、さらに形成されている。
【００８７】
灌注チューブ７５０は、多数の互いに連続する同軸孔を有するように形成されている。
第１の孔７５２は、チューブ７５０の近位端から前方に延在している。孔７５２は、一定
の直径を有している。孔７５４は、孔７５２のすぐ前に位置している。孔７５４は、遠位
側に進むにつれて内方にテーパが付されている。孔７５２，７５４は、コネクタの灌注取
付具６７６と一体のノーズ６８４を適所に受け入れて圧縮保持するように、連携して設計
されている。チューブ７５０は、孔７５４の前方に一定直径の孔７５６を有している。灌
注チューブ７５０を貫通する孔の長さに関して、孔７５６の長さは最短である。孔７５８
は、孔７５６の遠位端から灌注チューブ７５０の遠位端に延在している。灌注チューブ７
５０を通る貫流路を形成する多数の孔の内、孔７５８は、最大の長さおよび最小の直径を
有している。
【００８８】
本発明の図示されている形態では、リム７６０が、放出チューブの遠位端から内方およ
び周方向に延在している。該リムは、孔７５８の遠位端から前方に延在するオリフィス７
６２を画定している。リム７６０は、オリフィスの直径が孔７５８の遠位端から遠位側に
進むにつれて増大するように、寸法決めされている。
【００８９】
以下、図３０、図３１および図３２を参照して、噴霧シールド７７０について説明する
。噴霧シールド７７０は、ＰＶＣのような柔軟プラスチックの単一片から形成されている
。噴霧シールド７７０は、ステム７７２を有するように、形作られている。ステム７７２
は、４つの円弧区域７７４，７７６，７７８，７８０から形成されている。これらの円弧
区域は、一緒になって、チップアセンブリ本体７２０の遠位端が挿入される（部番が付さ
れていない）開口を画定している。図３０において、区域７７４，７７８は、ステム７７
２の互いに向き合った上区域および下区域を形成するものとして示されている。区域７７
４，７７８の内面は、灌注チューブ７３０の遠位端の直径よりも略１ｍｍ小さい直径を有
する円の部分の周りに延在している。区域７７４，７７８の各々は、矩形状の貫通開口７
８０を有するものとして示されている。貫通開口７８０は、チップアセンブリ本体のタブ
７３２を受け入れるように、位置決めされかつ形作られている。ステム区域７７６，７８
０は、ステム区域７７４，７７８間に位置している。これらのステム区域は、ステム区域
７７４，７７８の外面によって画定された円を超えて外方に突出している。
【００９０】
噴霧シールド７７０は、ステム７７２の遠位端から前方に延在するヘッド７８６を有す
るように、さらに形成されている。ヘッド７８６は、ステム７７２から遠位側に進むにつ
れてヘッドの外径が増大するような円錐形状を有している。
【００９１】
ステム７７２およびヘッド７８６は、いずれも内部空洞を有している。空洞７８２は、
ステム７７２の近位端からヘッド内に軸方向に延在する空洞である。噴霧シールド７７０
は、リブ７８４が空洞７８２を画定するシールドの内壁から内方に突出するように、さら
に形成されている。ヘッド７８６は、略円錐状の空洞７８８を有している。空洞７８８の
遠位端は、噴霧シールド７７０内への遠位端開口を画定している。噴霧シールド７７０は
、ヘッド７８６が、該ヘッドの外面から空洞７８８内に延在する２つの空気抜きポート７
９０を有するように、さらに形成されている。
【００９２】
本発明のチップアセンブリ６５０が組み立てられるとき、コネクタ６５２が、チューブ
本体のヘッド７２２内に圧入される。図２３に示されるガスケット７９１が、アセンブリ
灌注取付具６７６の区域６８０，６８２間の段の周りに配置される。ガスケット７９２が
、吸引取付具７０２のヘッド７０２と本体との間の段の周りに配置される。
【００９３】
［ＩＶ．操作］
本発明の洗浄ユニット３０は、最初、チップアセンブリ６５０をハンドピース６４に取
り付けることによって、使用の準備が整えられる。この接続は、コネクタ脚６５４をハン
ドピース６４と一体の凹状パネル１８８、３４２の外面の上を摺動させることによって、
行なわれる。各コネクタ足６６０が、ハンドピース開口１８８，３３８の各々内に着座す
る。ハンドピース開口１８８，３３８内への足６６０の着座によって、チップアセンブリ
６５０をハンドピースに取外し可能に保持することができる。ハンドピースパネル１８８
，３４２とコネクタ脚６５４との間に小さい隙間が生じる。この隙間によって、脚６５４
を内方に撓ませることができる。脚を内方に撓ませることによって、コネクタ足６６０を
ハンドピース開口１８８，３３８から外に後退させることができる。いったんコネクタ足
６６０がこのように後退したなら、チップアセンブリ６５０をハンドピース６４から取り
外すことができる。
【００９４】
チップアセンブリ６５０をハンドピースに取り付けた結果として、コネクタ灌注取付区
域６８０は、ポンプハウジング４２２と一体の孔４８２内に着座することになる。コネク
タ灌注取付具７０２は、ポンプハウジング孔５１２内に着座している。
【００９５】
灌注チューブ５６が、灌注流体源５４に接続される。吸引チューブ６６が、廃棄物収集
容器６８および吸引源６１に接続される。ケーブル５５０が、電源に接続される。これら
の接続によって、洗浄ユニットは、使用の準備が整うことになる。
【００９６】
トリガー５６１が押し込まれないとき、その形状に起因して、接点５８２は、常時、ポ
スト５８６から離間している。その結果、モータ３６０に電流が流れない。従って、ポン
プ４２０は、オフ状態にある。施術者は、トリガー５６１を押し込むことによって、ポン
プ４２０を作動させる。これによって、バー６１８が上方に旋回し、接点５８２に当接す
ることになる。接点５８２に対するバー６１８の当接によって、該接点がポスト５８６に
対して旋回するようになっている。ポスト５８６に対する接点５８２の当接によって、モ
ータ３６０への電力回路が閉鎖される。モータ３６０の作動によって、ギア３７０，３９
６およびヨーク５３４が協働して、ベローズ５１４を往復動させる。ベローズ５１４の拡
張によって、灌注流体がチューブ５６からポンプハウジング取付具４９８および通路４８
６を通ってベローズ内に引き込まれる。ベローズの後退によって、該流体が弁５２６を通
ってチップアセンブリ灌注チューブ７５０内に押し出される。この流体は、噴霧シールド
７２０の開端が向けられた部位に放出される。
【００９７】
接点５８２が上記の状態に旋回したとき、接点ヘッド４８４に隣接する接点の本体がビ
ーム１３７に隣接する端面に対して押圧される。接点を連続的に旋回する結果として、ビ
ームを形成する材料は、潜在的エネルギーを蓄積し、該エネルギーが解放されると、ビー
ム５８２をオフ位置に戻し、このオフ位置において、該ビームがポスト５８６から離間す
ることになる。
【００９８】
ポンプ４２０を作動させるためにトリガー５６１をまず移動させると、トリガービーム
６２２は、ハンドピースブラケット１２２，２９８の近位面上を移動する。その結果、ト
リガータブ６１６は、側パネル６０４から後方に撓むことになる。同時に、トリガーフィ
ンガー６０５は、ハンドピース内のボス１５５および相補的ポスト３０８を押圧すること
になる。これによって、電流がモータ３６０に流れ、ポンプ４２４を作動させる。トリガ
ーバー６１８が接点５８２をポスト５８６に対して移動させると、トリガービームの対向
端がブラケット１２２，２９８のノッチを画定する側面１２８内に着座する。トリガー５
６１がこの位置にあるとき、ボス１５５およびポスト３０８に当接したフィンガー６０５
の抵抗力によって、トリガーが下方に付勢される。従って、もし施術者がポンプ４２０を
非作動させることを望むなら、トリガー５６１への力を解放すればよい。この場合、トリ
ガーフィンガー６０５によってトリガーの残りに加えられた回復力によって、トリガーが
下方に移動することになる。バー６１８が、接点５８２から離れる方に移動する。接点５
８２を形成する材料の弾性に起因して、接点の撓みによって接点に貯蔵された潜在的エネ
ルギーが解放される。これによって、接点５８２がポスト５８６から離れる方に撓むこと
になる。その結果、モータ３６０の接続が遮断され、ポンプ４２０が作動停止される。こ
のように、施術者は、トリガー５６１を選択的に旋回させることによって、瞬間的オン／
瞬間的オフモードで洗浄ユニット３０を操作することができる。
【００９９】
手術手順において、施術者が灌注流体を洗浄ユニット５０から連続的に放出することを
望む時がある。もし施術者がユニット５０を一定のオン状態で操作することを望んだなら
、施術者は、トリガーを瞬間的オン状態の位置から上方に旋回させることになる。これに
よって、トリガービーム６２２が、ブラケット１２２，２９８の段面１３０に着座する。
いったんビーム６２２がこのように位置決めされたなら、ブラケットの段面１３０に対す
るビームの当接によって、トリガーに加えられるフィンガー６０５の下方運動が阻止され
ることなる。施術者は、トリガーへの枢動力を解放することができ、トリガーは、この位
置にとどまることになる。この位置にあるとき、トリガーは、導電性ポスト５８６に対し
て接点５８２を保持している。従って、トリガー５６１がこの位置にあるとき、洗浄ユニ
ットは、一定オン状態にある。施術者は、トリガーが押し込まれることを確実にするため
に精神的および物理的な措置を取ることなく、灌注流体を施すことができる。
【０１００】
洗浄ユニット５０は、トリガー５６１を連続的に押し込むことによって、一定のオン状
態からオフ状態に移行される。トリガーのこの移動によって、ビーム６２２の両端が最初
ブラケット側面１３２の上を移動する。いったんビーム６２２が側面１３２の上部に達し
たなら、トリガータブ６１６は、タブの静止位置に向かって遠位側に自在に撓むことがで
きる。ビーム６２２は、ブラケット上面１３４の上を移動する。従って、フィンガー６０
５によって加えられる付勢力が、阻止されないことになる。フィンガー６０５によって加
えられる力は、トリガーを下方に移動させる。トリガー５６１のこの下方運動の最初の過
程において、ビーム６２２は、ブラケット１２２，２９８の遠位側側面１３６の上を移動
する。トリガービーム６２２の前方および下方運動の結果として、ビームは、接点５８２
から離れる方に移動する。接点５８２を形成している材料の弾性に起因して、接点は、そ
の初期の静止状態に戻り、該静止状態において、該接点は、ポスト５８６から離間するこ
とになる。この場合も、ポスト５８６から離れる方への接点５８２の運動によって、モー
タ３６０、従って、ポンプ４２０は、作動停止する。このように、フィンガー６０５によ
って加えられた力によって、トリガー５６１は、静止位置、すなわち、オフ位置に戻るこ
とになる。
【０１０１】
ポンプの速度は、スイッチ５６２の設定によって決められる。スイッチ５６２は、接点
５７６をポスト５５６または５６０のいずれかと物理的に接触させるように、設定するこ
とができる。モータ３６０に印加される電位およびポンプ４２０の速度は、ポスト５５６
または５６０のいずれが接点５７６に接触するかに依存している。
【０１０２】
洗浄ユニットの吸引構成部品のオン／オフ状態および吸引率は、吸引源６１によって制
御される。従って、吸引チューブ７３０のオン／オフ状態および吸引率は、灌注流体が洗
浄ユニット５０から放出される程度と無関係である。前述したように、吸引チューブ７３
０の管腔７３６は、三日月形状である。同軸で延在する灌注チューブを含む吸引チューブ
の断面幅は、灌注チューブの外径を差し引いた吸引チューブの内径の半分に等しい。本発
明のチップアセンブリ６５０は、吸引チューブ７５０が吸引チューブ７３０の中心を通る
軸から横方向にずれた軸に沿って延在するように、構成されている。その結果、その最大
幅の領域における管腔の断面幅は、前記した従来のチップアセンブリの吸引管腔の断面幅
よりも大きくなっている。その結果、吸引管腔の断面幅の増大によって、吸引チューブ７
３０を通って引き出される固体および半固体廃棄物が該チューブを詰まらせる可能性を低
減させることができる。
【０１０３】
廃棄物流れは、吸引チューブ７３０からチップアセンブリヘッド７２２内の空洞７２５
に向かう。リブ７０８，７１０，７１２，７１４が、廃棄物流れを吸引取付具７０２の入
口開口に導く。これによって、ヘッドの空洞７２５内の乱流の生成が低減されることにな
る。
【０１０４】
さらに、いったん廃棄物がハンドピース６４内に引き込まれると、該廃棄物は、最初貫
通通路５０８を通り、次いで、ポンプハウジング４２２の通路５０６を通って流れること
になる。通路５０６，５０８は、いずれもＤ字状の断面を有している。ポンプハウジング
４２２は、通路５０６，５９８のそれぞれの最幅区域が互いに連続して互いに部分的に重
なる通路部分となるように、さらに形成されている。本発明のこの特徴によって、流路が
ハウジングを通って横方向に変更されるとき、廃棄物がポンプハウジング４２２を詰まら
せる可能性を低減させることができる。流路のこの変更は、ハウジングを通る垂直面の中
央面に沿って位置する軸からこの中央面の片側に横方向にずれた軸への変更であることを
理解されたい。
【０１０５】
チップ本体に装着された噴霧シールド７７０に対して吸引が施されるとき、噴霧シール
ドポート７９０が空気抜きポートとして機能する。噴霧シールドステム７７２が、吸引チ
ューブノッチ７３４を覆っているので、これらのノッチを通る吸引の損失が本質的に最小
限に抑えられる。噴霧シールドを用いることなく、チップ本体が患者に適用される場合、
チップ本体ノッチ７３４が、空気抜きポートとして機能する。空気抜きポートを通る空気
の流れによって、ハンドピース６４内への露出した未切除組織の引込みが阻止されること
になる。
【０１０６】
［Ｖ．第１の代替的構造］
本発明の代替的な右側シェル８１が、図３３に示されている。右側シェル８１０は、前
述した右側シェル７０の特徴部の多くを有している。従って、これらの特徴部については
、繰返して説明しない。右側シェル８１０は、シェル基部６９から内方に突出するビーム
８１２を有するように、さらに形成されている。ビーム８１２は、ブラケット１２２の前
方に位置している。シェル８１０は、ビーム８１２が３辺構造であるように、形作られて
いる。３辺構造は、ビームの基部がノッチ１４０に向くように、配置されている。
【０１０７】
図３４は、代替的なトリガー８２０を示している。トリガー８２０は、前述のトリガー
５６１と同じ構造部品の多くを有している。トリガー８２０には、側パネル６０４の全体
にわたって延在するフィンガーが形成されていない。代わって、トリガー８２０には、略
平坦な単一の柔軟ビーム８２２が形成されている。ビーム８２２は、タブ６１０から前方
に延在しており、タブ６１０の面と直交する面内に位置している。フィンガー８８２の両
側縁には、内向きテーパが付されている。従って、フィンガー８２２を横切る方向におけ
る幅は、タブ６１０の前方に向かって減少している。
【０１０８】
図３３に戻ると、トリガー８２０は、トリガー５６１と同じように、ハンドピースを形
成するシェルに取り付けられていることが分かるだろう。ビーム６１２の両端は、シェル
ボス１６４，３１６の孔内に着座している。本発明のこの態様では、図３３にのみ示され
ているバネ８２６が、ビーム８１２の基部からトリガー８２０に延在し、トリガー側壁６
０４間に位置している。バネ８２６の基部は、トリガー底パネル６０６の内面に着座して
いる。バネ８２６は、トリガー８２０をオフ位置に保持している。
【０１０９】
トリガーの手動による押込みが、トリガー８２０に加えられたバネ８２６の力を上回る
ことができるようになっている。トリガーが上方に移動すると、トリガービーム８２２は
、それぞれ、シェル８１０，２１０と一体のリム１３９，３１２に押し付けられる。シェ
ル２１０，８１０に対するフィンガー８２２の当接によって、手動力に対抗してトリガー
８２０に力を加えることができる。手動力の減衰が、施術者の不注意による大きい力の印
加によってトリガーを直ちに一定のオン状態に設定する可能性を低減させることになる。
本発明のいくつかの態様では、撓んでいない状態に戻るビーム８２２の抵抗力によって、
トリガーをオフ状態に戻す力がもたらされる。
【０１１０】
［ＶＩ．さらなる代替的実施形態］
本発明の代替的態様が可能である。例えば、本発明の全ての態様が前述の特徴部の各々
を必ずしも備えている必要がない。従って、非対称に位置決めされた吸引チューブおよび
灌注チューブを有するチップアセンブリは、前述のハンドピース以外のハンドピースと共
に実施されてもよい。同様に、前述のハンドピースは、必ずしも前述のチップアセンブリ
と共に用いられる必要がない。
【０１１１】
本発明の代替的態様では、ポンプハウジング４２２は、キャップ４９２を備えていなく
てもよい。本発明のこれらの態様では、ネック内への開口は、ポンプハウジングが形成さ
れるとき、最初にネックを覆う延長部を成形することによって閉鎖される。次いで、熱カ
シメ法を用いて、該延長部がキャップを形成するように形作られる。
【０１１２】
本ユニットの洗浄ユニットがパルス状の灌注流体を放出する前述のポンプと異なるポン
プを備えていてもよいことをさらに理解されたい。例えば、ハンドピースは、灌注流体の
連続流れを送達するポンプを備えていてもよい。同様に、本発明のいくつかの態様では、
ポンプは、ハンドピースから離間したコンソール内に配置されていてもよい。本発明のこ
れらの態様では、トリガーおよび速度制御アセンブリは、依然としてハンドピース内に存
在している。これらのアセンブリから生じた信号は、コンソール内の制御モジュールにケ
ーブルを介して印加される。これらの信号に基づいて、制御モジュールは、ポンプのオン
／オフ状態およびポンプ作動流量の両方を調整することになる。
【０１１３】
バネがトリガーをオフ位置に保持し、かつトリガーをオフ位置に戻すようになっている
本発明の態様では、フィンガー６０５およびビーム８２２のような構成部品は、省略され
てもよい。同様に、フィンガー６０５および／またはビーム８２２が存在する本発明の態
様では、金属バネを設ける必要がない。さらに、本発明のいくつかの態様では、ハンドピ
ースおよびトリガーは、トリガーが手動力を加えていない状態でポンプ瞬間的オン位置に
あるときにトリガーをポンプオフ位置に戻す付勢力の一部または全てを重量が担うように
、設計されてもよい。本発明のこれらおよび他の態様では、ハンドピース自体がこの機能
を果たす付勢部材を実質的に有していなくてもよい。本発明のいくつかの態様では、付勢
部材は、トリガーとは別の構成部品であってもよい。この付勢部材は、弾性材料またはバ
ネからなる区域であってもよい。
【０１１４】
また、本発明の態様は、洗浄ユニットが適用される部位から吸引物が引き込まれるとき
に通る導管を備えていなくてもよい。
【０１１５】
同様に、トリガーおよびハンドピースは、トリガーがハンドピースの第１の特徴部に係
合したとき、トリガーがポンプを作動させ、トリガーに作用する付勢力によってトリガー
をオフ位置に移動させることができ、その一方、トリガーがハンドピースの第２の特徴部
に係合したとき、トリガーがポンプを作動させ、トリガーに作用する付勢力によってトリ
ガーをその位置から移動させることができないように形作られた異なる構成部品を有して
いてもよい。本発明のいくつかの態様では、トリガーがオフ位置から第１のポンプオン位
置に移動したとき、トリガーが（トリガーをオン位置に保持し、トリガーに加えられる付
勢力がトリガーを該位置から離脱させない）ハンドピースの特徴部に係合するように、ハ
ンドピースおよびトリガーを設計することが望ましい。従って、トリガーは、トグル留め
された一定のオン位置にある。次いで、トリガーが第１のポンプオン位置から第２のポン
プオン位置に移動したとき、トリガーは、ポンプをその状態に連続的に保持し、さらにト
リガーに加えられた付勢力が、トリガーをポンプオフ位置に移動させることができるよう
になっている。本発明のこれらの態様では、トリガーは、両位置にあるとき、ハンドピー
スの静止部品に係合しないようになっている。
【０１１６】
さらに、本発明のいくつかの態様では、トリガーを瞬間的オン位置またはトグル留めさ
れた（一定の）オン位置の一方または両方に保持する柔軟な部品が、ハンドピースに取り
付けられていてもよい。例えば、これらの特徴部は、ハンドピースに取り付けられたバネ
状部材であってもよい。本発明のこれらの態様では、トリガーは、どのような柔軟な構成
部品を有していなくてもよい。
【０１１７】
噴霧シールドをチップアセンブリに取り付ける代替的方法も可能である。例えば、本発
明のいくつかの態様では、チップの遠位端は、もしチップの周りを周方向に完全ではない
にしても少なくとも部分的に延在する外方延在リブを備えている。この場合、噴霧シール
ドは、ステム内においてチップが挿入される空洞を画定するステムの内面から外方に突出
する溝が生じるように、形成されている。この噴霧シールドがチップアセンブリに装着さ
れるとき、ステムは、チップアセンブリリブがこの溝内に着座するように、位置決めされ
ることになる。
【０１１８】
本発明のいくつかの態様では、灌注流体がチップアセンブリの灌注チューブ７５０内に
放出されるときに通る取付具および／または吸引物がチップアセンブの吸引チューブ７３
０から引き込まれるときに通る取付具は、ハンドピースの一部であってもよい。灌注取付
具７５０と一体のリブは、周囲の廃棄物流れを吸引取付具７０２に導く単一面と置き換え
られてもよい。
【０１１９】
同様に、チップアセンブリ６５０をハンドピースに取外し可能に取り付ける手段は、記
載されているものと異なっていてもよい。従って、脚６５４および足６６０の係止機能を
果たす構成部品は、ハンドピースの一部であってもよい。本発明のこれらの態様では、チ
ップアセンブリは、ハンドピース係止部品が着座する構成部品を有するように形成されて
いる。
【０１２０】
本発明の他のチップアセンブリは、灌注チューブが吸引チューブ内に配置される一方、
チューブが三日月状の断面の管腔を有する吸引チューブを備えないように、構成されても
よい。例えば、本発明のいくつかの実施形態では、チップアセンブリは、吸引チューブの
管腔が三日月形状ではない断面形状を有するように、形成されてもよい。この管腔の最幅
領域は、関連する灌注チューブの断面直径よりも大きくなっている。従って、本発明では
、一般的に、灌注チューブが吸引チューブ内に配置されたとき、吸引チューブの管腔は、
一定の内外径のリングの断面ではない断面形状を有することになる。代替的に、吸引管腔
を画定する吸引チューブの内面から延在する１つまたは複数のウエブが、灌注チューブを
吸引チューブ内に保持するようになっていてもよい。
【０１２１】
前述したように、本発明のチップアセンブリにおける独創的な特徴部は、前述のハンド
ピース６４以外のハンドピースと共に用いられてもよい。従って、このチップアセンブリ
は、灌注流体が供給されるときに通る灌注チューブおよび吸引物が引き込まれるときに通
る吸引チューブを備えるどのようなハンドピースと共に用いられてもよい。これらのハン
ドピースは、ポンプが取外し可能に取り付けられた電動式外科用工具を備えている。２つ
のこのような灌注ハンドピースが、出願人による国際特許出願第ＰＣＴ／ＵＳ２０１３／
０５９６６９号（国際特許出願公開第                                号）に開示され
ている。この文献は、参照することによって、ここに明示的に含まれるものとする。
【０１２２】
従って、添付の請求項の目的は、本発明の真の精神および範囲内に含まれるこのような
修正および変更の全てを包含することにある。
【図１】
2019051339.tif 000003
【図２】
2019051339.tif 000004
【図３】
2019051339.tif 000005
【図４】
2019051339.tif 000006
【図５】
2019051339.tif 000007
【図６】
2019051339.tif 000008
【図６Ａ】
2019051339.tif 000009
【図６Ｂ】
2019051339.tif 000010
【図７】
2019051339.tif 000011
【図８】
2019051339.tif 000012
【図９】
2019051339.tif 000013
【図１０】
2019051339.tif 000014
【図１１】
2019051339.tif 000015
【図１２】
2019051339.tif 000016
【図１３】
2019051339.tif 000017
【図１４】
2019051339.tif 000018
【図１５】
2019051339.tif 000019
【図１６】
2019051339.tif 000020
【図１７】
2019051339.tif 000021
【図１８】
2019051339.tif 000022
【図１８Ａ】
2019051339.tif 000023
【図１８Ｂ】
2019051339.tif 000024
【図１９】
2019051339.tif 000025
【図２０】
2019051339.tif 000026
【図２１】
2019051339.tif 000027
【図２２】
2019051339.tif 000028
【図２３】
2019051339.tif 000029
【図２４】
2019051339.tif 000030
【図２５】
2019051339.tif 000031
【図２６】
2019051339.tif 000032
【図２７】
2019051339.tif 000033
【図２８】
2019051339.tif 000034
【図２９】
2019051339.tif 000035
【図３０】
2019051339.tif 000036
【図３１】
2019051339.tif 000037
【図３２】
2019051339.tif 000038
【図３３】
2019051339.tif 000039
【図３４】
2019051339.tif 000040